(57)【要約】【課題】  収納室に固定接点と可動接点とが収納され、この収納室の密閉度を高めることができ、且つ切換え負荷を低減できる切換え装置を提供する。【解決手段】  ケース１１の収納室Ｓ１の底部１３に固定接点３１ａ，３２ａ，３３ａが固定され、その上に可動接点３５が設けられている。ケース１１にスライダ４０ａが左右方向へ水平に移動できるように設けられ、スライダ４０ａに押圧部材５１ａが上下に摺動自在に支持されている。そして、ばね部材５５によって押圧部材５１ａが可動接点３５に押し付けられている。スライダ４０ａがα方向へ移動すると、押圧部材５１ａが可動接点３５の乗り上げ部３５ｃに乗り上がって、接点の接触が切換えられる。【選択図】図６
2014229531.tif 000002
【特許請求の範囲】
【請求項１】
ケースに、底部から立ち上がって互いに対向する対向壁部と、それぞれの前記対向壁部の両端部どうしを連結して前記底部から立ち上がる側壁部とが一体に形成されて、前記対向壁部と前記側壁部ならびに前記底部とで囲まれて上方に開口部を有する収納室が構成され、前記収納室に固定接点と可動接点とが収納されており、
前記収納室に、スライダが前記底部と平行に初期姿勢から切換え姿勢に向けて移動自在に支持され、いずれかの前記対向壁部に、上方に解放された支持凹部が形成され、前記スライダの一部に前記支持凹部よりも外側へ突出する操作部が形成され、前記スライダには、押圧部材が前記スライダの移動方向と交差する方向へ移動自在に支持されて、ばね部材で前記押圧部材が前記可動接点に押圧付勢されており、
前記スライダが切換え姿勢へ移動すると、前記押圧部が前記可動接点に乗り上がって、前記可動接点と前記固定接点との接触が切換えられるとともに、前記押圧部によって前記ばね部材が変形させられて、前記スライダに対して初期姿勢への復帰力が与えられることを特徴とする切換え装置。
【請求項２】
前記スライダには、初期姿勢から切換え姿勢へ移動する間に、前記支持凹部を覆ったまま前記対向壁部に沿って移動する閉鎖板部が一体に形成され、前記閉鎖部に前記操作部が形成されている請求項１記載の切換え装置。
【請求項３】
前記スライダには、前記閉鎖板部に対向する対向移動部が設けられ、前記ばね部材が前記閉鎖板部と前記対向移動部との間に配置されている請求項２記載の切換え装置。
【請求項４】
前記スライダの上端部に摺動突起が一体に形成され、前記摺動突起が前記蓋体の内面を摺動する請求項１ないし３のいずれかに記載の切換え装置。
【請求項５】
ケースに、前記対向壁部として互いに対向する一対の内側対向壁部とそれぞれの前記内側対向壁部の外側に対向する外側対向壁部とが一体に形成され、
それぞれの前記内側対向壁部と前記外側対向壁部と前記側壁部ならびに前記底部で囲まれて上方に開口部が形成された２つの収納室および前記内側対向壁部の間に形成された操作空間とが構成され、それぞれの前記収納室に、前記固定接点と前記可動接点と前記スライダと前記押圧部材ならびに前記ばね部材が収納されて、それぞれの収納室の前記開口部が前記蓋体で覆われており、
前記内側対向壁部に前記支持凹部が形成され、２つの前記スライダに設けられた前記操作部が前記操作空間内で間隔を空けて対向しており、２つの前記スライダは、切換え姿勢へ向かう移動方向が互いに逆向きである請求項１ないし４のいずれかに記載の切換え装置。
【請求項６】
１つの前記収納室内に、前記固定接点と前記可動接点と前記スライダと前記押圧部材ならびに前記ばね部材が２組収納され、
対向する２つの前記対向壁部に前記支持凹部が形成され、２つの操作部が、それぞれの対向壁部から互いに逆向きに突出している請求項１ないし４のいずれかに記載の切換え装置。
【請求項７】
前記収納室には、２つの前記対向壁部の中間に中間壁部が設けられており、それぞれの前記スライダに前記閉鎖板部と対向する対向移動部が設けられ、
２つの前記スライダの前記対向移動部が共通の前記中間壁部に移動自在に支持されている請求項７記載の切換え装置。
【発明の詳細な説明】
【技術分野】
【０００１】
本発明は、車載用電装設備などに使用される切換え装置に係り、特に防塵性を高めた構造の切換え装置に関する。
【背景技術】
【０００２】
車載用パワーウインドウ装置の駆動スイッチやその他の車載用電装設備のスイッチ部に２連式の切換え装置が使用されている。
【０００３】
特許文献１に記載されている切換え装置は、ケースに２つの接点収納空間が形成されている。それぞれの接点収納空間には、底部に固定された固定接点部材と、可動接点となる導体板と、駆動体の摺動作動部と、前記摺動作動部を可動接点に押し付ける板ばね部材が収納されている。
【０００４】
ケースでは、それぞれの接点収納空間の内側の仕切り壁の間にスリットが形成され、仕切り壁には、接点収納空間と前記スリットとを連通させる支持凹部が形成されている。それぞれの駆動体には、前記摺動作動部とともに被押圧部が形成されている。駆動体の一部が前記支持凹部の内部に位置し、被押圧部が前記スリット内に位置している。
【０００５】
特許文献１では、板ばね材料で形成されたカバー部材がケースの上に装着され、２つの接点収納空間と、隣り合う接点収納空間の間に形成されたスリットの双方が、１つのカバー部材で覆われている。前記スリットには、２つの被押圧部が位置しており、２つの被押圧部が、前記カバー部材に形成された窓孔から上方へ突出している。
【０００６】
特許文献１に記載された切換え装置を使用する電装設備では、操作つまみの作用端部がカバー部材の上方に突出している２つの被押圧部の間に介在している。操作つまみが一方の側へ倒されると、一方の駆動体が回動させられて、一方の接点収納空間内の固定接点部と導体板との接触が切換えられ、操作つまみが他方の側へ倒されると、他方の駆動体が回動させられて、他方の接点収納空間内の固定接点部と導体板との接触が切換えられる。
【先行技術文献】
【特許文献】
【０００７】
【特許文献１】特開２００５−１２３１３５号公報
【発明の概要】
【発明が解決しようとする課題】
【０００８】
特許文献１に記載された切換え装置では、ケースに形成されたそれぞれの接点収納空間とスリットとが支持凹部を介して連通している。支持凹部には駆動体が回動自在で且つ上下に移動自在に支持されているため、支持凹部の内縁部と駆動体との間に大きな隙間が形成され、それぞれの接点収納部の密閉が十分ではない。
【０００９】
特許文献１に記載されたものでは、駆動体は、回動動作と上下動作によって、導体板を切換え動作させるものであるため、導体板を動作させるときの駆動体の動作負荷が比較的大きい。また、導体板の切換えのときに駆動体が回動するとともに上下に動くため、装置の配置スペースが上方に余分に必要となる。
【００１０】
さらに、スリットの上方では、カバー部材に窓孔が形成され、駆動体の被押圧部が窓孔から上方へ突出しているが、駆動体が回動するために、窓孔と被押圧部との間に大きな隙間を形成することが必要となっている。その結果、車室内のゴミや埃さらには水分が、カバー部材の窓孔からスリット内に入りやすく、さらに支持凹部を介してスリット内から接点収納部の内部にゴミなどが入り込みやすくなっており、接点の切換えの信頼性を低下させる課題があった。
【００１１】
本発明は、上記従来の課題を解決するものであり、収納空間内の密閉性を向上させて、収納空間の内部での接点の切換え動作の信頼性を高めることができ、さらに、比較的低負荷で切換え動作を行うことができ、さらに上下の配置スペースを低くできる切換え装置を提供することを目的としている。
【課題を解決するための手段】
【００１２】
本発明は、ケースに、底部から立ち上がって互いに対向する対向壁部と、それぞれの前記対向壁部の両端部どうしを連結して前記底部から立ち上がる側壁部とが一体に形成されて、前記対向壁部と前記側壁部ならびに前記底部とで囲まれて上方に開口部を有する収納室が構成され、前記収納室に固定接点と可動接点とが収納されており、
前記収納室に、スライダが前記底部と平行に初期姿勢から切換え姿勢に向けて移動自在に支持され、いずれかの前記対向壁部に、上方に解放された支持凹部が形成され、前記スライダの一部に前記支持凹部よりも外側へ突出する操作部が形成され、前記スライダには、押圧部材が前記スライダの移動方向と交差する方向へ移動自在に支持されて、ばね部材で前記押圧部材が前記可動接点に押圧付勢されており、
前記スライダが切換え姿勢へ移動すると、前記押圧部が前記可動接点に乗り上がって、前記可動接点と前記固定接点との接触が切換えられるとともに、前記押圧部によって前記ばね部材が変形させられて、前記スライダに対して初期姿勢への復帰力が与えられることを特徴とするものである。
【００１３】
本発明は、収納室内でスライダが底部に沿って移動し、スライダに支持された押圧部材によって可動接点が切換えられる。そのため、対向壁部に設けられ支持凹部を上下に長く形成する必要がなくなり、収納室の内部にゴミや埃や水分が侵入しにくくなる。
【００１４】
また、スライダを底部に沿って水平方向へ移動させるだけで可動接点と固定接点との接触が切換えられるため、比較的軽い負荷で接点の切換えを行うことができる。さらに、ケースの上方に上下方向への広い移動領域を確保することが必要ではなく、薄型に構成しやすい。
【００１５】
本発明では、前記スライダに、初期姿勢から切換え姿勢へ移動する間に、前記支持凹部を覆ったまま前記対向壁部に沿って移動する閉鎖板部が一体に形成され、前記閉鎖部に前記操作部が形成されていることが好ましい。
【００１６】
上記構成では、スライダの支持凹部が常に閉鎖板部で覆われているため、さらに収納室の密閉度を高めることができる。
【００１７】
本発明では、前記スライダに、前記閉鎖板部に対向する対向移動部が設けられ、前記ばね部材が前記閉鎖板部と前記対向移動部との間に配置されている。
上記構成では、収納室内にばね部材を安定した姿勢で配置できる。
【００１８】
また、前記スライダの上端部に摺動突起が一体に形成され、前記摺動突起が前記蓋体の内面を摺動するものが好ましい。
【００１９】
上記構成では、スライダに形成された摺動突起が蓋体を摺動するため、スライダを、上下のがたつきが生じることなく、スムースに移動させることができる。
【００２０】
本発明は、ケースに、前記対向壁部として互いに対向する一対の内側対向壁部とそれぞれの前記内側対向壁部の外側に対向する外側対向壁部とが一体に形成され、
それぞれの前記内側対向壁部と前記外側対向壁部と前記側壁部ならびに前記底部で囲まれて上方に開口部が形成された２つの収納室および前記内側対向壁部の間に形成された操作空間とが構成され、それぞれの前記収納室に、前記固定接点と前記可動接点と前記スライダと前記押圧部材ならびに前記ばね部材が収納されて、それぞれの収納室の前記開口部が前記蓋体で覆われており、
前記内側対向壁部に前記支持凹部が形成され、２つの前記スライダに設けられた前記操作部が前記操作空間内で間隔を空けて対向しており、２つの前記スライダは、切換え姿勢へ向かう移動方向が互いに逆向きである。
【００２１】
あるいは、本発明は、１つの前記収納室内に、前記固定接点と前記可動接点と前記スライダと前記押圧部材ならびに前記ばね部材が２組収納され、
対向する２つの前記対向壁部に前記支持凹部が形成され、２つの操作部が、それぞれの対向壁部から互いに逆向きに突出しているものである。
【００２２】
上記において、前記収納室には、２つの前記対向壁部の中間に中間壁部が設けられており、それぞれの前記スライダに前記閉鎖板部と対向する対向移動部が設けられ、２つの前記スライダの前記対向移動部が共通の前記中間壁部に移動自在に支持されているものとすることが可能である。
上記構成では、ケースの幅寸法を可能な限り小さくすることができる。
【発明の効果】
【００２３】
本発明の切換え装置は、対向壁部に形成された支持凹部が水平方向に延びるものであって、上下に長く延ばす必要がないため、支持凹部を介して収納室にゴミや埃または水分が侵入しにくくなる。
【００２４】
操作力によってスライダが水平方向へのみ移動させられるため、可動接点を比較的低負荷で確実に動作させることができる。またスライダが水平に移動するものであるため、ケースの上方に移動空間を設けることが不要になり、薄型に構成できる。
【図面の簡単な説明】
【００２５】
【図１】本発明の第１の実施の形態の切換え装置の斜視図、
【図２】第１の実施の形態の切換え装置の分解斜視図、
【図３】図１の切換え装置をＩＩＩ−ＩＩＩ線で切断した断面図、
【図４】図１の切換え装置をＩＶ−ＩＶ線で切断した断面図、
【図５】図１の切換え装置をＶ−Ｖ線で切断した断面図、
【図６】図５と同じ断面図での動作説明図、
【図７】本発明の第２の実施の形態の切換え装置の斜視図、
【図８】図７の切換え装置をＶＩＩＩ−ＶＩＩＩ線で切断した断面図、
【図９】第２の実施の形態のスライダと押圧部材の組み合わせ状態を示す部分斜視図、
【発明を実施するための形態】
【００２６】
図１ないし図６に示す第１の実施の形態の切換え装置１０は、車載用パワーウインドウ装置の開閉操作のために使用される。また、切換え装置１０は、車載用パワーウインドウ装置以外の各種電装設備の検知スイッチや切換えスイッチとして使用することが可能である。
各図では、Ｘ方向が前後方向、Ｙ方向が左右方向、Ｚ方向が上下方向である。
【００２７】
切換え装置１０はケース１１を有している。ケース１１は絶縁性の合成樹脂材料で射出成形されている。
【００２８】
図３と図４に示すように、ケース１１は底部１２を有している。図２に示すように、ケース１１には、底部１２から垂直に立ち上がる第１の内側対向壁部１３ａならびに第２の内側対向壁部１３ｂと、第１の外側対向壁部１４ａならびに第２の外側対向壁部１４ｂ、さらに側壁部１５ａと側壁部１５ｂが一体に形成されている。
【００２９】
第１の内側対向壁部１３ａと第２の内側対向壁部１３ｂは前後方向（Ｘ方向）に対向し、第１の外側対向壁部１４ａは第１の内側対向壁部１３ａの前後方向の外側に対向し、第２の外側対向壁部１４ｂは第２の内側対向壁部１３ｂの前後方向の外側に対向している。側壁部１５ａ，１５ｂは、前記内側対向壁部１３ａ，１３ｂならびに外側対向壁部１４ａ，１４ｂと直交する向きに形成され、左右方向（Ｙ方向）に間隔を空けて対向している。
【００３０】
ケース１１には、第１の内側対向壁部１３ａと第１の外側対向壁部１４ａならびに側壁部１５ａ，１５ｂとで囲まれて下部が底部１２で塞がれた第１の収納室Ｓ１が形成されている。また、第２の内側対向壁部１３ｂと第２の外側対向壁部１４ｂならびに側壁部１５ａ，１５ｂとで囲まれて下部が底部１２で塞がれた第２の収納室Ｓ２が形成されている。第１の収納室Ｓ１と第２の収納室Ｓ２は、共に上方が解放された開口部となっている。
【００３１】
ケース１１には、第１の内側対向壁部１３ａと第２の内側対向壁部１３ｂとの間に操作空間Ｓ３が形成されている。操作空間Ｓ３は、左右方向（Ｙ方向）へ細長い空間である。図２に示す実施の形態では、操作空間Ｓ３の左右方向の両側部が解放されているが、操作空間Ｓ３の左右方向（Ｙ方向）の両側部が側壁部１５ａ，１５ｂで塞がれていてもよい。
【００３２】
図１と図２に、底部１２の中心から垂直に上下方向（Ｚ方向）に延びるケース中心線Ｏが示されている。ケース１１は、ケース中心線Ｏを中心として１８０度回転させた形状と一致する。すなわち、第１の収納室Ｓ１と第２の収納室Ｓ２の構造と寸法、ならびに操作空間Ｓ３の構造と寸法は、ケース中心線Ｏに対して１８０度の回転対称である。さらに切換え装置１０の全ての構造も、ケース中心線Ｏを中心とする１８０度の回転対称である。
【００３３】
図２に示すように、第１の内側対向壁部１３ａに第１の支持凹部１６ａが形成され、第２の内側対向壁部１３ｂに第２の支持凹部１６ｂが形成されている。第１の外側対向壁部１４ａに第１の対向支持部１７ａが形成され、第２の外側対向壁部１４ｂに第２の対向支持部１７ｂが形成されている。
【００３４】
第１の支持凹部１６ａは第１の内側対向壁部１３ａを前後方向（Ｘ方向）に貫通し、第２の支持凹部１６ｂは第２の内側対向壁部１３ｂを前後方向（Ｘ方向）に貫通し、第１の支持凹部１６ａと第２の支持凹部１６ｂは上方に解放されている。第１の対向支持部１７ａは第１の外側対向壁部１４ａを前後方向（Ｘ方向）に貫通し、第２の対向支持部１７ｂは第２の外側対向壁部１４ｂを前後方向（Ｘ方向）に貫通し、第１の対向支持部１７ａと第２の対向支持部１７ｂは上方に解放されている。ただし、第１の対向支持部１７ａが、第１の外側対向壁部１４ａを貫通することなく、第１の収納室Ｓ１に面する内面に段差を有して上下方向に延びる溝形状であってもよい。これは第２の対向支持部１７ｂにおいても同じである。
【００３５】
図２に示すように、第１の支持凹部１６ａと第１の対向支持部１７ａは、一方の側壁部１５ａに近い側に形成されており、第２の支持凹部１６ｂと第２の対向支持部１７ｂは、他方の側壁部１５ｂに近い側に形成されている。
【００３６】
図５は図１のＶ−Ｖ線の断面図であり、第１の収納室Ｓ１の内部構造が示されている。第１の収納室Ｓ１では、底部１２に３個の固定接点が固定されて設けられている。左右方向（Ｙ方向）の中央に第１のコモン固定接点３１ａが固定され、側壁部１５ｂに近い側に第１の初期接触固定接点３２ａが固定され、側壁部１５ａに近い側に第１の切換え固定接点３３ａが固定されている。
【００３７】
第２の収納室Ｓ２と第１の収納室Ｓ１はケース中心線Ｏを中心とする回転対称構造である。よって、図１と図２に示すように、第２の収納部Ｓ２では、中央に第２のコモン固定接点３１ｂが、側壁部１５ａに近い側に第２の初期接触固定接点３２ｂが固定され、側壁部１５ｂに近い側に第２の切換え固定接点３３ｂが固定されている。
【００３８】
図５に示すように、第１の収納室Ｓ１に可動接点３５が収納されている。可動接点３５は銅板などの導電性板材で形成されている。第１の収納室Ｓ１に収納されている可動接点３５は、初期接触固定接点３２ａに対向する初期接触片３５ａと、切換え固定接点３３ａに対向する切換え接触片３５ｂを有し、その中間に乗り上げ部３５ｃが上向きに突出して形成されている。乗り上げ部３５ｃは、コモン固定接点３１ａよりも切換え固定接点３３ａに近い側に対向している。
【００３９】
第２の収納室Ｓ２にも第１の収納室Ｓ１と同じ可動接点３５が収納されている。第２の収納室Ｓ２に収納された可動接点３５は、第１の収納室Ｓ１に収納された可動接点３５と左右方向（Ｙ方向）の向きが逆に配置されている。第２の収納室Ｓ２に収納された可動接点３５は、初期接触片３５ａが側壁部１５ａに向けられ、切換え接触片３５ｂが側壁部１５ｂに向けられている。
【００４０】
図３に示すように、ケース１１の第１の収納室Ｓ１に第１のスライダ４０ａが収納され、第２の収納室Ｓ２に第２のスライダ４０ｂが収納される。第１のスライダ４０ａと第２のスライダ４０ｂは合成樹脂材料で形成されて、同じ構造で同じ寸法を有しているが、ケース１１への組み込み姿勢が、ケース中心線Ｏを中心とする１８０度の回転対称である。そこで、以下では、第１のスライダ４０ａと第２のスライダ４０ｂについて、異なる符号を付して説明する。
【００４１】
図２と図３に示すように、第１のスライダ４０ａには、操作側移動部４１ａと対向移動部４２ａとが前後方向（Ｘ方向）に間隔を空けて形成されており、操作側移動部４１ａと対向移動部４２ａとが連結移動部４３ａによって連結されている。前記操作側移動部４１ａには、閉鎖板部４５ａが一体に形成されており、閉鎖板部４５ａの外面に操作部４６ａが突出形成されている。また、操作側移動部４１ａの上端に一対の摺動突起４７ａ，４７ａが一体に形成され、対向移動部４２ａの上端に摺動突起４８ａ，４８ａが一体に形成されている。
【００４２】
図５に示すように、連結移動部４３ａに上下に貫通する支持穴４４ａが形成されている。
【００４３】
操作側移動部４１ａは、ケース１１に形成された第１の支持凹部１６ａよりも左右方向（Ｙ方向）の幅寸法が小さく形成され、Ｚ方向の高さ寸法は、第１の支持凹部１６ａの上下方向（Ｚ方向）の深さ寸法と同じに形成されている。
【００４４】
閉鎖板部４５ａは、操作側移動部４１ａよりも左右方向（Ｙ方向）へ長くせり出して形成され、操作側移動部４１ａよりも下方にせり出して形成されており、閉鎖板部４５ａは第１の支持凹部１６ａよりも広い面積に形成されている。
【００４５】
対向移動部４２ａは、第１の対向支持部１７ａよりも左右方向（Ｙ方向）の幅寸法が小さく形成され、Ｚ方向の高さ寸法が、第１の対向支持部１７ａの上下方向（Ｚ方向）の深さ寸法と同じに形成されている。
【００４６】
同様に、第２のスライダ４０ｂには、操作側移動部４１ｂ、対向移動部４２ｂ、連結移動部４３ｂ、支持穴４４ｂ、閉鎖板部４５ｂ、操作部４６ｂ、ならびに摺動突起４７ｂ，４７ｂと摺動突起４８ｂ，４８ｂが一体に形成されている。
【００４７】
ケース１１の内部に第１の押圧部材５１ａと第２の押圧部材５１ｂが収納されている。第１の押圧部材５１ａと第２の押圧部材５０ｂは、その形状と寸法が互いに同じである。図５と図６に示すように、第１の押圧部材５１ａは、第１のスライダ４０ａに形成された支持穴４４ａ内で上下に摺動自在に支持されており、第２の押圧部材５１ｂは、第２のスライダ４０ｂに形成された支持穴４４ｂ内で上下に摺動自在に支持されている。
【００４８】
図２に示すように、第１の収納室Ｓ１と第２の収納室Ｓ２に、同じ構造で同じ寸法のばね部材５５が上方から装着される。それぞれのばね部材５５は板ばね材料で形成されたものであり、押圧弾性片５６と、押圧弾性片５６の左右方向の端部から上向きに曲げられた支持弾性片５７，５７とが一体に形成されている。
【００４９】
ケース１１に蓋体６０が装着される。ケース１１の第１の収納室Ｓ１と第２の収納室Ｓ２ならびに操作空間Ｓ３は、１つの蓋体６０で覆われる。蓋体６０は合成樹脂材料で形成されている。
【００５０】
図２に示すように、蓋体６０は天井板部６１と、前後方向（Ｘ方向）に対向する前後側板部６２，６２と、左右方向（Ｙ方向）に対向する左右側板部６３，６３とが一体に形成されている。左右側板部６３，６３のそれぞれには、掛止穴６３ａ，６３ａが形成されている。図２に示すように、ケース１１の側壁部１５ａ，１５ｂの外面に、前記掛止穴６３ａ，６３ａに対向する掛止突起１５ｃ，１５ｃが一体に形成されている。
【００５１】
蓋体６０の天井板部６１の中央部に左右方向（Ｙ方向）へ細長く延びる開口部６４が形成されている。図３に示すように、蓋体６０の内部には、開口部６４の左右方向（Ｙ方向）へ延びる両縁部のそれぞれから下方へ一体に延びる内壁部６５ａ，６５ｂが一体に形成されている。図４に示すように、それぞれの内壁部６５ａ，６５ｂには、前記操作部４６ａの移動領域に切欠き部６６が形成されている。
上記各部材から構成される切換え装置１０は、以下のように組み立てられる。
【００５２】
第１の収納室Ｓ１と第２の収納室Ｓ２に可動接点３５，３５が挿入された後に、第１のスライダ４０ａと第２のスライダ４０ｂが、ケース１１に対して上方から下向きに装着される。
【００５３】
図３には、ケース１１に第１のスライダ４０ａが装着された状態が示されている。第１のスライダ４０ａが、ケース１１に対して下向きに装着されると、操作側移動部４１ａが、第１の内側対向壁部１３ａに形成された第１の支持凹部１６ａ内に装着され、対向移動部４２ａが、第１の外側対向壁部１４ａに形成された第１の対向支持部１７ａ内に装着される。また、閉鎖板部４５ａは、第１の内側対向壁部１３ａの操作空間Ｓ３に向く外面に装着される。
【００５４】
同様にして、第２のスライダ４０ｂも、ケース１１に装着される。ただし、第１のスライダ４０ａと第２のスライダ４０ｂの装着姿勢は、ケース中心線Ｏを中心とする１８０度の回転対称である。
【００５５】
ケース１１に可動接点３５と第１のスライダ４０ａならびに第２のスライダ４０ｂが装着された後に、第１の収納室Ｓ１と第２の収納室Ｓ２にばね部材５５，５５が挿入される。そして、ケース１１の上方の開口部に蓋体６０が装着される。
【００５６】
蓋体６０の前後側板部６２，６２によって、ケース１１の第１の外側対向壁部１４ａと第２の外側対向壁部１４ｂが外側から覆われ、左右側板部６３，６３によってケース１１の側壁部１５ａ，１５ｂが外側から覆われる。そして、蓋体６０の掛止穴６３ａがケース１１の掛止突起１５ｃに掛止されて、蓋体６０が固定される。
【００５７】
図３に示すように、蓋体６０が装着されると、蓋体６０の前後側板部６２が、第１のスライダ４０ａの対向移動部４２ａの外側に対向する。また、蓋体６０に形成された内壁部６５ａが閉鎖板部４５ａの外側に対向し、操作部４６ａが内壁部６５ａに形成された切欠き部６６内に位置する。これによって、第１のスライダ４０ａは、第１の収納室Ｓ１において前後方向（Ｘ方向）へがたつきを生じないように保持される。
【００５８】
図３に示すように、第１のスライダ４０ａの操作側移動部４１ａの上端に形成された摺動突起４７ａ，４７ａと、対向移動部４２ａの上端部に形成された摺動突起４８ａ，４８ａが、蓋体６０の天井板部６１の下面に対向し、第１のスライダ４０ａが上下にがたつきを生じないように位置決めされる。
【００５９】
この状態で、第１のスライダ４０ａは、図５に示す初期姿勢から図６に示す切換え姿勢へ向けて左右方向（Ｙ方向）へ移動することができる。第１のスライダ４０ａは摺動突起４７ａ，４７ａと摺動突起４８ａ，４８ａが蓋体６０の天井板部６１の下面を摺動するため、第１のスライダ４０ａが低負荷でケース１１内を移動することができる。
【００６０】
第１の外側支持部１７ａが蓋体６０の前後側板部６２によって外側から覆われているため、第１の対向支持部１７ａと第１のスライダ４０ａの対向移動部４２ａとの移動による隙間が、前後側板部６２で塞がれている。
【００６１】
第１のスライダ４０ａの閉鎖板部４５ａは、第１の支持凹部１６ａよりも十分に大きな面積を有しており、第１のスライダ４０ａが初期姿勢から切換え姿勢まで移動する間に、第１の支持凹部１６ａと操作側移動部４１ａとの間に形成される移動のための隙間は、常に閉鎖板部４５ａで閉鎖される。よって、図３と図４に示すように、蓋体６０の内壁部６５ａに切欠き部６６が形成されていても、第１の収納室Ｓ１と操作空間Ｓ３とが連通することがなく、第１の収納室Ｓ１の密閉度を高めることができる。
【００６２】
切換え装置１０はケース中心線Ｏを中心とする１８０度の回転対称構造である。よって、第２のスライダ４０ｂも同様にして、ケース１１の内部で左右方向（Ｙ方向）へ摺動自在に支持される。
【００６３】
図５に示すように、ケース１１の開口部に蓋体６０が装着されると、蓋体６０の天井板部６１の下面によって、第１の収納室Ｓ１内のばね部材５５の一対の支持弾性片５７，５７が下向きに押されて変形させられ、ばね部材５５の押圧弾性片５６によって、第１のスライダ４０ａに支持されている押圧部材５１ａが下向きに付勢され、押圧部材５１ａが可動接点３５に加圧される。
【００６４】
図３に示すように、ばね部材５５は、第１のスライダ４０ａの連結移動部４３ａの上方で、操作側移動部４１ａと対向移動部４２ａとの間に配置されている。そのため、ばね部材５５の姿勢が安定しており、動作中にばね部材５５が反転するなどの誤動作が生じにくくなっている。
【００６５】
第２の収納室Ｓ２内においても、同様にしてばね部材５５が安定した姿勢に収納され、ばね部材５５の押圧弾性片５６によって、第２のスライダ４０ｂに支持されている押圧部材５１ｂが下向きに押圧され、押圧部材５１ｂが可動接点３５に押し付けられている。
【００６６】
図３に示すように、第１のスライダ４０ａに設けられた操作部４６ａは、蓋体６０の内壁部６５ａに形成された切欠き部６６を通過して、内壁部６５ａと内壁部６５ｂの間に位置している。同様に、第２のスライダ４０ｂに設けられた操作部４６ｂも、内壁部６５ｂに形成された切欠き部を通過して内壁部６５ａと内壁部６５ｂの間に位置している。図４に示すように、操作空間Ｓ３では、内壁部６５ａと内壁部６５ｂとの間で、操作部４６ａと操作部４６ｂが左右方向（Ｙ方向）に間隔を空けて配置されている。
【００６７】
車載用パワーウインドウ装置などの電装設備では、切換え装置１０のケース１１が基台上に固定され、コモン固定接点３１ａ，３１ｂと初期接触固定接点３２ａ，３２ｂならびに切換え固定接点３３ａ，３３ｂが、基台上の回路パターンにハンダ付けされて接続される。
【００６８】
図３と図４に示すように、操作体と一体に形成された切換え押圧部１は、蓋体６０の天井板部６１に形成された開口部６４からケース１１の操作空間Ｓ３内に挿入される。切換え押圧部１は、蓋体６０の内壁部６５ａと内壁部６５ｂとの間に挿入され、２つの操作部４６ａ，４６ｂの間に位置する。
【００６９】
操作体は、上方に支点を有して回動動作し、または左右方向（Ｙ方向）へ往復動作するものである。図４において切換え押圧部１が図示左側へ移動すると、操作部４６ａがα方向へ移動させられ、切換え押圧部１が図示右側へ移動すると、操作部４６ｂがβ方向へ移動させられる。
【００７０】
切換え押圧部１が図４に示すように中立姿勢のとき、図５に示すように、ケース１１の第１の収納室Ｓ１では、第１のスライダ４０ａが初期姿勢である。初期姿勢では、操作側移動部４１ａが、ケース１１の第１の支持凹部１６ａ内で図示右側に位置し、対向移動部４２ａが第１の対向支持部１７ａ内で図示右側に位置している。
【００７１】
第１のスライダ４０ａが初期姿勢のとき、ばね部材５５の押圧弾性片５６によって押圧部材５１ａが下向きに押圧されて可動接点３５を下向きに押圧している。図５に示すように、初期姿勢での押圧部材５１ａと可動接点３５との接触点Ｐ１は、第１のコモン固定接点３１ａよりも図示右側に位置しているため、可動接点３５の初期接触片３５ａが第１の初期接触固定接点３２ａと接触している。同様に、第２の収納室Ｓ２では、初期姿勢の第２のスライダ４０ｂに支持された押圧部材５１ｂと可動接点３５との接触点が、第２のコモン固定接点３１ｂよりも側壁部１５ａに近い側に位置し、可動接点３５の初期接触片３５ａが第２の初期接触固定接点３２ｂに接触している。
【００７２】
切換え押圧部１が図４において図示左方向へ移動して、操作部４６ａがα方向へ押されると、第１のスライダ４０ａの操作側移動部４１ａがケース１１の第１の支持凹部１６ａ内を左側へ摺動し、対向移動部４２ａが第１の対向支持部１７ａ内を左側へ移動して、図６に示すように、第１のスライダ４０ａがα方向へ移動して切換え姿勢となる。
【００７３】
切換え姿勢では、押圧部材５１ａが可動接点３５の乗り上げ部３５ｃに乗り上がり、可動接点３５が第１のコモン固定接点３１ａとの接触部を支点とし反時計方向へ回動し、可動接点３５の切換え接触片３５ｂが第１の切換え固定接点３３ａに接触させられる。
【００７４】
押圧部材５１ａが乗り上げ部３５ｃに乗り上がるために、ばね部材５５の押圧弾性片５６が上方へ大きく撓み、その反力で、押圧部材５１ａが可動接点３５の上面の傾斜面に沿って図示右方向へ移動しようとする復帰力が与えられる。よって、切換え押圧部１への操作力が解除されると、第１のスライダ４０ａが図５に示す初期姿勢に復帰する。
【００７５】
これは、切換え押圧部１によって、第２のスライダ４０ｂがβ方向へ移動させられたときも同じである。
【００７６】
切換え押圧部１によって、第１のスライダ４０ａは、図４の図示左方向（α方向）へ水平に移動させられ、第２のスライダ４０ｂは、図４の図示右方向（β方向）へ水平移動させられる。スライダ４０ａ，４０ｂは水平移動のみであるため、切換え押圧部１から操作部４６ａ，４６ｂへの動力の伝達効率がよくなり、低負荷で可動接点３５の接触状態の切換えを行うことができる。
【００７７】
スライダ４０ａ，４０ｂの操作側移動部４１ａ，４１ｂは、下端部が、支持凹部１６ａ，１６ｂの下縁を摺動し、上端部は摺動突起４７ａ，４７ｂが蓋体６０の天井板部６１の下面を摺動する。また、対向移動部４２ａ，４２ｂも下端部が、対向支持部１７ａ，１７ｂの下縁部を摺動し、上端の摺動突起４８ａ，４８ａが蓋体６０の天井板部６１の下面を摺動する。よって、第１のスライダ４０ａと第２のスライダ４０ｂは低負荷で、左右方向（Ｙ方向）へ動けるようになる。
【００７８】
第１のスライダ４０ａの対向移動部４２ａと、ケース１１の第１の対向支持部１７ａとの間の隙間は、蓋体６０の前後側板部６２で覆われている。また、操作側移動部４１ａと第１の支持凹部１６ａとの間の隙間は、第１の支持凹部１６ａよりも大きい面積の閉鎖板部４５ａで常に塞がれている。よって、図４に示すように、蓋体６０の内壁部６５ａと第１の支持凹部１６ａとの間に重なり部があっても、この重なり部が塞がれたままである。そのため、第１の収納室Ｓ１の密封性を高めることができ、第１の収納室Ｓ１内へゴミや埃または水分などが入りにくい。
これは、第２のスライダ４０ｂとケース１１との関係においても同じである。
【００７９】
図７以下に示す第２の実施の形態の切換え装置１１０については、主に第１の実施の形態の切換え装置１０と異なる構造について説明し、共通の構造については、詳しい説明を省略する。
【００８０】
切換え装置１１０は、ケース１１１を有している。ケース１１１は、底部１１２と、前後方向（Ｘ方向）に対向する対向壁部１１４ａ，１１４ｂと、左右方向（Ｙ方向）に対向する側壁部１１５ａ，１１５ｂが一体に形成されている。図８に示すように、ケース１１１の内部には、上方に開口部が形成された１つの収納室Ｓ４が形成されている。対向壁部１１４ａに第１の支持凹部１１７ａが形成され、対向壁部１１４ｂに第２の支持凹部１１７ｂが形成されている。
【００８１】
図８に示すように、ケース１１１の内部には、底部１１２から垂直に立ち上がる中間壁部１１６が一体に形成されている。中間壁部１１６の上端部が対向支持部１１８であり、この対向支持部１１８は、左右方向（Ｙ方向）へ延びている。
【００８２】
ケース１１１の内部には、中間壁部１１６を挟んで一方の側に、第１のコモン固定接点３１ａと第１の初期接触固定接点３２ａならびに第１の切換え固定接点３３ａが固定され、中間壁部１１６を挟んで他方の側に、第２のコモン固定接点３１ｂと第２の初期接触固定接点３２ｂならびに第２の切換え固定接点３３ｂが固定されている。また中間壁部１１６を挟んだ前後の両側の領域のそれぞれに可動接点３５が収納されている。
【００８３】
図９に示すように、第１のスライダ１４０ａと第２のスライダ１４０ｂは同じ構造で同じ寸法を有しており、ケース中心線Ｏを中心とする１８０度の回転対称となるように組み合わされている。
【００８４】
第１のスライダ１４０ａは、閉鎖板部１４５ａと連結移動部１４３ａとを有し、連結移動部１４３ａに支持穴１４４ａが形成され、この支持穴１４４ａに、押圧部材５１ａが上下に移動自在に支持されている。また、閉鎖板部１４５ａに対向する一対の対向移動部１４２ａ，１４２ａが設けられ、この対向移動部１４２ａ，１４２ａは、連結移動部１４３ａから突出して形成されている。図８に示すように、閉鎖板部１４５ａの外面に操作部１４６ａが一体に形成されている。
【００８５】
図９に示すように、閉鎖板部１４５ａの上端部に摺動突起１４７ａ，１４７ａが一体に形成され、対向移動部１４２ａ，１４２ａの上端部に摺動突起１４８ａ，１４８ａが一体に形成されている。
【００８６】
第２のスライダ１４０ｂは、閉鎖板部１４５ｂと連結移動部１４３ｂとを有し、連結移動部１４３ｂに形成された支持穴１４４ｂに押圧部材５１ｂが上下に摺動自在に支持されている。連結移動部１４３ｂからは一対の対向移動部１４２ｂ，１４２ｂが突出して形成されている。閉鎖板部１４５ｂの上端部に摺動突起１４７ａ，１４７ａが一体に形成され、対向移動部１４２ｂ，１４２ｂの上端部に摺動突起１４８ａ，１４８ａが一体に形成されている。
【００８７】
第１のスライダ１４０ａと第２のスライダ１４０ｂは、図９に示すように、ケース中心線Ｏに対して回転対称に組み合わされる。このとき、第１のスライダ１４０ａの一対の対向移動部１４２ａ，１４２ａと第２のスライダ１４０ｂの一対の対向移動部１４２ｂ，１４２ｂとが、互い違いに組み合わされて、一対の対向移動部１４２ａ，１４２ａと一対の対向移動部１４２ｂ，１４２ｂとが、左右方向（Ｙ方向）に沿って一列に並べられる。
【００８８】
図８に示すように、第１のスライダ１４０ａの閉鎖板部１４５ａは、ケース１１１の対向壁部１１４ａの第１の支持凹部１１７ａに支持され、第２のスライダ１４０ｂの閉鎖板部１４５ｂは、対向壁部１１４ｂの支持凹部１１７ｂに支持される。そして、Ｙ方向に向けて一列に配列する第１のスライダ１４０ａの対向移動部１４２ａ，１４２ａと、第２のスライダ１４０ｂの対向移動部１４２ｂ，１４２ｂが、共に中間壁部１１６の上端の対向支持部１１８に支持される。
【００８９】
その結果、第１のスライダ１４０ａと第２のスライダ１４０ｂは、共に左右方向（Ｙ方向）へ移動でき、その移動方向はケース中心線Ｏを中心とした１８０度の回転対称である。
【００９０】
第１のスライダ１４０ａの閉鎖板部１４５ａと対向移動部１４２ａ，１４２ａとの間にばね部材５５が設置され、第２のスライダ１４０ａの閉鎖板部１４５ｂと対向移動部１４２ｂ，１４２ｂとの間にばね部材５５が設置されて、それぞれのばね部材によって、押圧部材５１ａ，５１ｂが可動接点３５に押し付けられている。
【００９１】
蓋体１６０は板ばね材料を折り曲げて形成されたものであり、天井板部１６１と、天井板部１６１から折り曲げられた前後側板部１６２，１６２と左右側板部１６３，１６３とを有している。左右側板部１６３，１６３に掛止穴１６３ａ，１６３ａが形成されており、この掛止穴１６３ａ，１６３ａがケースに設けられた掛止突起１１５ｃに掛止されて、ケース１１１に蓋体１６０が固定される。
【００９２】
前後側板部１６２，１６２に切欠き部１６２ａ，１６２ａが形成され、それぞれのスライダ１４０ａ，１４０ｂと一体の操作部１４６ａ，１４６ｂが切欠き部１６２ａ，１６２ａから外部へ突出している。
【００９３】
第２の実施の形態の切換え装置１１０では、切換え押圧部によって、ケース１１１の第１の外側対向板部１１４ａから突出する操作部１４６ａが図７の図示左方向へ移動させられ、対向板部１１４ｂから突出する操作部１４６ｂが図７の図示右方向へ移動させられる。第１のスライダ１４０ａと第２のスライダ１４０ｂの移動力で、それぞれの可動接点３５と固定接点との接触状態が切換えられる。
【００９４】
それぞれのスライダ１４０ａ，１４０ｂに形成された閉鎖板部４５ａ，４５ｂは、蓋体１６０の切欠き部１６２ａ，１６２ｂよりも十分に大きな面積を有しており、それぞれのスライダ１４０ａ，１４０ｂが移動する間、切欠き部１６２ａ，１６２ｂは、常に閉鎖板部４５ａ，４５ｂで覆われる。その結果、収納室Ｓ４の内部の密閉度が高く保たれている。
【符号の説明】
【００９５】
Ｓ１  第１の収納室
Ｓ２  第２の収納室
Ｓ３  操作空間
Ｓ４  収納室
１  切換え押圧部
１０  切換え装置
１１  ケース
１２  底部
１３ａ  第１の内側対向壁部
１３ｂ  第２の内側対向壁部
１４ａ  第１の外側対向壁部
１４ｂ  第２の外側対向壁部
１５ａ，１５ｂ  側壁部
１６ａ  第１の支持凹部
１６ｂ  第２の支持凹部
１７ａ  第１の対向支持部
１７ｂ  第２の対向支持部
３１ａ，３１ｂ  コモン固定接点
３２ａ，３２ｂ  初期接触固定接点
３３ａ，３３ｂ  切換え固定接点
３５  可動接点
３５ａ  初期接触片
３５ｂ  切換え接触片
３５ｃ  乗り上げ部
４０ａ  第１のスライダ
４０ｂ  第２のスライダ
４１ａ，４１ｂ  操作側移動部
４２ａ，４２ｂ  対向移動部
４３ａ，４３ｂ  連結移動部
４４ａ，４４ｂ  支持穴
４５ａ，４５ｂ  閉鎖板部
４６ａ，４６ｂ  操作部
４７ａ，４７ｂ，４８ａ，４８ｂ  摺動突起
５１ａ，５１ｂ  押圧部材
５５  ばね部材
５６  押圧弾性片
５７  支持弾性片
６０  蓋体
１１０  切換え装置
１１１  ケース
１１２  底部
１１４ａ，１１４ｂ  対向壁部
１１５ａ，１１５ｂ  側板部
１１６  中間壁部
１１７ａ，１１７ｂ  支持凹部
１１８  対向支持部
１４０ａ  第１のスライダ
１４０ｂ  第２のスライダ
１４２ａ，１４２ｂ  対向移動部
１４５ａ，１４５ｂ  閉鎖板部
１４６ａ，１４６ｂ  操作部
１６０  蓋体
１６２ａ  切欠き部
【図１】
2014229531.tif 000003
【図２】
2014229531.tif 000004
【図３】
2014229531.tif 000005
【図４】
2014229531.tif 000006
【図５】
2014229531.tif 000007
【図６】
2014229531.tif 000008
【図７】
2014229531.tif 000009
【図８】
2014229531.tif 000010
【図９】
2014229531.tif 000011